(57)【特許請求の範囲】
【請求項１】
下向きの吐出口を有するＬ型形状の先端部を備え水栓本体に装着される吐水管に、先端部上方側から着脱自在に取り付けられる断熱キャップであって、下方開口および後方開口を有し、前記先端部を上方から覆うようＬ型形状に形成されたキャップ本体と、このキャップ本体の内面側に着脱自在に設けられ、弾性変形により前記先端部を係止するバンドとを備え、更に、前記先端部の形状に応じた前記キャップ本体の取り付けができるよう前記バンドを前記キャップ本体に対して前後方向に変位させうる手段を有し、
前記キャップ本体は、樹脂製であり、かつ、前記バンドの中央部が嵌め込み可能な大きさの嵌込溝を内面に有し、更に、この嵌込溝は、前記前後方向に沿って所定の長さを有するとともに、前記前後方向に沿った両側面にそれぞれ鋸歯状波部を有する一方、前記バンドは、樹脂製で、正面視門型形状をなすとともに、前記鋸歯状波部に噛合する鋸歯状波部を前記バンドの前記両側面に対応する位置にそれぞれ有し、
前記バンドを前記キャップ本体に対して前後方向に変位させうる手段が、前記キャップ本体の前記嵌込溝および鋸歯状波部、ならびに、前記バンドの前記鋸歯状波部を含むことを特徴とする断熱キャップ。
【発明の詳細な説明】
【０００１】
【発明の属する技術分野】
この発明は、水栓の吐水管の先端部に取り付けられる断熱キャップに関する。
【０００２】
【従来の技術】
図７に示すように、湯水混合水栓の水栓本体４１に着脱自在に装着される金属製の吐水管として、ストレート形状の先端部４２ａに断熱キャップ４３が取り付けられた吐水管４２や、下向きの吐出口４８を有するＬ型形状の先端部４３ａを備えた吐水管４４がある。
【０００３】
そして、前記断熱キャップ４３として、先端部４２ａに外嵌されるキャップ本体４５と、このキャップ本体４５の下面から下向きに開設された吐出口部４６と、断熱キャップ４３を吐水管４２に抜け止め係止するための割り筒状の係止ピン４７とを有するものが知られている。
【０００４】
【発明が解決しようとする課題】
しかし、前記断熱キャップ４３は吐水管４２に専用のものであることから、図７から分かるように、湯水混合水栓において、断熱キャップ付きの吐水管を得ようとすると、既設の吐水管４４を水栓本体４１から取り外し、吐水管４２に交換しなければならなかった。このため、断熱キャップ４３付きの吐水管４２を新たに購入する必要があり交換費用が高価であるとともに、金属製の吐水管４４を廃棄しなければならなかった。
【０００５】
この発明は、前記の点に留意してなされたものであり、その目的は、下向きの吐出口を有するＬ型形状の先端部を備えた既設の吐水管に取り付けできる断熱キャップを提供することである。
【０００６】
【課題を解決するための手段】
上記目的を達成するために、この発明の断熱キャップは、下向きの吐出口を有するＬ型形状の先端部を備え水栓本体に装着される吐水管に、先端部上方側から着脱自在に取り付けられる断熱キャップであって、下方開口および後方開口を有し、前記先端部を上方から覆うようＬ型形状に形成されたキャップ本体と、このキャップ本体の内面側に着脱自在に設けられ、弾性変形により前記先端部を係止するバンドとを備え、更に、前記先端部の形状に応じた前記キャップ本体の取り付けができるよう前記バンドを前記キャップ本体に対して前後方向に変位させうる手段を有し、
前記キャップ本体は、樹脂製であり、かつ、前記バンドの中央部が嵌め込み可能な大きさの嵌込溝を内面に有し、更に、この嵌込溝は、前記前後方向に沿って所定の長さを有するとともに、前記前後方向に沿った両側面にそれぞれ鋸歯状波部を有する一方、前記バンドは、樹脂製で、正面視門型形状をなすとともに、前記鋸歯状波部に噛合する鋸歯状波部を前記バンドの前記両側面に対応する位置にそれぞれ有し、
前記バンドを前記キャップ本体に対して前後方向に変位させうる手段が、前記キャップ本体の前記嵌込溝および鋸歯状波部、ならびに、前記バンドの前記鋸歯状波部を含むことを特徴とする。
【０００７】
【発明の実施の形態】
以下、この発明の実施形態について説明する。
図１〜図６は、この発明の一実施形態を示す。なお、図１〜図６において、図７で示す符号と同一のものは、同一または相当物である。
【０００８】
この発明は、上述した下向きの吐出口４８を有するＬ型形状の吐水管先端部４３ａを備え水栓本体４１（図７参照）に装着される吐水管４４に、先端部上方側から着脱自在に取り付けられる断熱キャップ１を提供するものである。
【０００９】
図１〜図６において、断熱キャップ１は、前記吐水管先端部４３ａを上方から覆うようＬ型形状に形成された樹脂製のキャップ本体２と、弾性変形により吐水管先端部４３ａを係止する樹脂製のバンド３とを備えている。
【００１０】
前記吐水管先端部４３ａは、上流側の円筒状水平部分４と、この円筒状水平部分４から下流側に下向きに湾曲しながら連設された円筒状湾曲部分５とよりなる。また、キャップ本体２は、円筒状水平部分４を被覆できる形状を有する吐水管先端部被覆部分２ａと、この吐水管先端部被覆部分２ａから前方に下向きに湾曲しながら連設され、円筒状湾曲部分５を被覆できる形状を有する吐水管先端部被覆部分２ｂとから構成される。
【００１１】
また、前記キャップ本体２は、吐水管先端部被覆部分２ｂから吐水管先端部被覆部分２ａにわたり形成された下方開口６と、吐水管先端部被覆部分２ａに形成された後方開口７とを有する。
【００１２】
一方、前記バンド３は、正面視門型形状をなすとともに、キャップ本体２の前記吐水管先端部被覆部分２ａの内面側（裏面側）に着脱自在に設けられ、更に、前記吐水管先端部４３ａの形状に応じたキャップ本体２の取り付けができるようキャップ本体２に対して前後方向（両矢印Ａで示す方向）に変位可能なように構成されている。
【００１３】
前記バンド３は、吐水管先端部４３ａの前記円筒状水平部分４の金属表面に係合される左右一対の係止部１０，１０と、この係止部１０，１０に連設された略Π字状の取付基部１１とよりなる。
【００１４】
そして、前記係止部１０，１０は、略円弧状に湾曲された湾曲部分１２，１２と、湾曲部分１２，１２の下端において開口したＶ型形状の挿入ガイド１３，１３とを有し、係止部１０によってバンド３の下部が構成される。係止部１０，１０は、樹脂製であるので、係止部１０，１０を円筒状水平部分４の金属表面に傷を付けることなく取付けることができる。１４は、係止部１０，１０の下端において挿入ガイド１３，１３間に形成された開口である。
【００１５】
一方、取付基部１１は、左右一対の脚部分１５，１５と、脚部分１５，１５を繋ぐ平面視矩形形状の水平板部分１６とを有し、取付基部１１によってバンド１１の上部が構成される。そして、前記水平板部分１６は、バンド３の中央部を構成する。
【００１６】
キャップ本体２は、バンド３の前記水平板部分（中央部）１６が嵌め込み可能な大きさの一つの嵌込溝２０を吐水管先端部被覆部分２ａの内面（裏面）ｍの中央位置に有する。
【００１７】
前記嵌込溝２０は、前記Ａ方向に沿って所定の長さＣを有するとともに、前記Ａ方向に沿った両側面２０ａ，２０ｂにそれぞれ鋸歯状波部２２，２３を有する一方、前記バンド３は、前記鋸歯状波部２２，２３に噛合する鋸歯状波部２４，２５をバンド３の前記水平板部分（中央部）１６の両側面Ｍ，Ｎにそれぞれ有する。そして、嵌込溝２０、鋸歯状波部２２，２３、水平板部分（中央部）１６および鋸歯状波部２４，２５からバンド３をキャップ本体２に対して前後方向（Ａ方向）に変位させうる手段が構成される。
【００１８】
更に、前記バンド３は樹脂製であるが、鋸歯状波部２４，２５を両側面Ｍ，Ｎにそれぞれ有する水平板部分（中央部）１６の厚みＥが、脚部分１５、湾曲部分１２および挿入ガイド１３の厚みｅよりも厚くなっている（ｅ＜Ｅ）。これは、バンド３の水平板部分１６を、嵌込溝２０の下方から図５に示すようにＤ方向に移動させて嵌込溝２０に嵌め込んだとき、バンド３の鋸歯状波部２４，２５が嵌込溝２０の鋸歯状波部２２，２３に噛合するが、その後、バンド３を吐水管先端部４３ａの前記円筒状水平部分４の金属表面に係合させるときに、水平板部分（中央部）１６の厚みＥが薄く形成されていると強度的に弱いので弾性変形し易くなり、前記歯合が緩んで前記Ａ方向のうち、例えばＡ1 方向にシフトしたり、あるいは、Ａ2 方向にシフトしたりして嵌込溝２０内の所定の嵌込位置から水平板部分（中央部）１６がずれるおそれがあったり、水平板部分（中央部）１６が嵌込溝２０内から外れるおそれがあるからである。
【００１９】
而して、吐水管先端部４３ａの形状に応じて、予め嵌込溝２０への水平板部分（中央部）１６の嵌込み位置を決定した上で、その嵌込み位置に水平板部分（中央部）１６を嵌込む。続いて、バンド３が嵌込溝２０に嵌込まれた状態で、断熱キャップ１を、吐水管４４の前記先端部４３ａの上方側から前記先端部４３ａに取り付ける。このとき、バンド３は吐水管先端部４３ａの前記円筒状水平部分４の金属表面に係合する。
【００２０】
このように、下向きの吐出口４８を有するＬ型形状の吐水管先端部４３ａを備え、水栓本体４１（図７参照）に装着される吐水管４４に、吐水管先端部４３ａの上方側から着脱自在に取り付けられる断熱キャップ１をワンタッチで後付けできるので、変更コストも断熱キャップ１のコストだけで済み安価であるとともに、従来のように吐水管４４を廃棄処分する必要はなくなるので、廃棄物が発生することはなく、環境に優しい。更に、断熱キャップ４３（図７参照）と同様の断熱効果を得ることができる。
【００２１】
そして、前記の場合と異なる形状の吐水管先端部に断熱キャップ１を取り付ける場合は、水平板部分（中央部）１６を嵌込溝２０に嵌込むのに例えばＡ1 方向に位置を変更したり、あるいは、水平板部分（中央部）１６を嵌込溝２０に嵌込むのにＡ2 方向に位置を変更したりして吐水管先端部の形状に応じた、嵌込溝２０への水平板部分（中央部）１６の嵌込み位置を決定することができる。
【００２２】
したがって、下向きの吐出口を有するＬ型形状の吐水管先端部の形状が微妙に異なっていてもバンド３をキャップ本体２に対してＡ方向に変位させることができるので、汎用性のある断熱キャップ１を提供できる。
【００２３】
【発明の効果】
この発明では、下向きの吐出口を有するＬ型形状の先端部を備えた既設の吐水管に取り付けできる断熱キャップを提供することができる。
【００２４】
また、下向きの吐出口を有するＬ型形状の吐水管先端部の形状が微妙に異なっていてもバンドをキャップ本体に対して前後方向に変位させることができるので、汎用性のある断熱キャップを提供できる。
【図面の簡単な説明】
【図１】  この発明の一実施形態における取り付け動作を示す分解斜視図である。
【図２】  上記実施形態における取り付け状態をバンドの側面側からみた構成説明図である。
【図３】  上記実施形態における取り付け状態をバンドの底面側からみた構成説明図である。
【図４】  上記実施形態における取り付け状態をバンドの背面側からみた構成説明図である。
【図５】  上記実施形態における取り付け動作を示す要部構成説明図である。
【図６】  上記実施形態で用いたバンドの変位動作を示す要部構成説明図である。
【図７】  従来の問題点を示す要部分解斜視図である。
【符号の説明】
１…断熱キャップ、２…キャップ本体、３…バンド、６…下方開口、７…後方開口、１６…水平板部分（中央部）、２０…嵌込溝、２２，２３…鋸歯状波部、２４，２５…鋸歯状波部、４３ａ…先端部、４４…吐水管、４８…下向きの吐出口、ｍ…内面。
【図１】
0004044785.tif 000002
【図２】
0004044785.tif 000003
【図３】
0004044785.tif 000004
【図４】
0004044785.tif 000005
【図５】
0004044785.tif 000006
【図６】
0004044785.tif 000007
【図７】
0004044785.tif 000008